(57)【要約】【課題】ヒータ等の加熱手段を用いる事無く表示面への着雪を防止する。【解決手段】表示素子たるＬＥＤ３０からなるドットＤをマトリクス状に配列した表示装置３を支持機構４で道路上に支持し、前記ドットＤを点灯して情報をドット表示する道路情報表示装置１であって、前記表示装置３の表示面５０を前方に傾斜させて前記支持機構４に支持すると共に、前記表示面５０の表示の正射影に縮みの無い状態で視認可能に情報を表示する構成とした。【選択図】図３
2008014080.tif 000002
【特許請求の範囲】
【請求項１】
表示素子をマトリクス状に配列した表示装置を支持部材で道路上に支持し、前記表示素子を点灯して情報をドット表示する情報表示装置であって、
前記表示装置の表示面を前方に傾斜させて前記支持部材に支持すると共に、前記表示面の表示の正射影に縮みの無い状態で視認可能に情報を表示することを特徴とする情報表示装置。
【請求項２】
請求項１に記載の情報表示装置において、
前記表示面の傾斜角度をθとした場合に、前記表示素子の縦方向の配置間隔を横方向の配置間隔に対して１／ｃｏｓθ倍にしたことを特徴とする情報表示装置。
【請求項３】
請求項１に記載の情報表示装置において、
前記表示素子の縦方向の配置間隔と横方向の配置間隔とを略同一としつつ、前記表示面の傾斜角度をθとした場合に、１／ｃｏｓθ倍に縦方向に伸張して情報を表示することを特徴とする情報表示装置。
【請求項４】
請求項１乃至３のいずれかに記載の情報表示装置において、
道路を走行中の車両のドライバーが前記表示装置の視認を開始する視認距離の開始点から前記表示装置が視野から消え始める消失点までの間において、前記表示面の表示の正射影に縮みの無い状態で視認可能に情報を表示することを特徴とする情報表示装置。
【請求項５】
請求項１乃至４のいずれかに記載の情報表示装置において、
表面が平滑に加工された透明な保護板を前記表示装置の表示面に設けたことを特徴とする情報表示装置。
【発明の詳細な説明】
【技術分野】
【０００１】
本発明は、例えば道路の上方等の目線よりも高い位置に設置して好適な情報表示装置に関する。
【背景技術】
【０００２】
道路を通行中のドライバーに対して、刻々と変化する道路情報を的確かつ迅速に提供するために、道路情報を表示する道路情報表示装置が道路に設置されている。また、降雪の多い豪雪地域に設置される道路情報表示装置にあっては、表示面への着雪を防止するための着雪防止対策として、ヒータによって表示面を全体的に加熱して融雪するようにしたものが知られている（例えば、特許文献１及び特許文献２参照）。
【特許文献１】特開２００２−３８４３０号公報
【特許文献２】特開２００６−１６９８８４号公報
【発明の開示】
【発明が解決しようとする課題】
【０００３】
しかしながら、ヒータの加熱によって着雪を防止するため、電力消費量が増大するといった問題がある。
本発明は、上述した事情に鑑みてなされたものであり、ヒータ等の加熱手段を用いる事無く表示面への着雪を防止することのできる情報表示装置を提供することを目的とする。
【課題を解決するための手段】
【０００４】
上記目的を達成するために、本発明は、表示素子をマトリクス状に配列した表示装置を支持部材で道路上に支持し、前記表示素子を点灯して情報をドット表示する情報表示装置であって、前記表示装置の表示面を前方に傾斜させて前記支持部材に支持すると共に、前記表示面の表示の正射影に縮みの無い状態で視認可能に情報を表示することを特徴とする情報表示装置を提供する。
【０００５】
また本発明は、上記発明において、前記表示面の傾斜角度をθとした場合に、前記表示素子の縦方向の配置間隔を横方向の配置間隔に対して１／ｃｏｓθ倍にしたことを特徴とする。
【０００６】
また本発明は、上記発明において、前記表示素子の縦方向の配置間隔と横方向の配置間隔とを略同一としつつ、前記表示面の傾斜角度をθとした場合に、１／ｃｏｓθ倍に縦方向に伸張して情報を表示することを特徴とする。
【０００７】
また本発明は、上記発明において、道路を走行中の車両のドライバーが前記表示装置の視認を開始する視認距離の開始点から前記表示装置が視野から消え始める消失点までの間において、前記表示面の表示の正射影に縮みの無い状態で視認可能に情報を表示することを特徴とする。
【０００８】
また本発明は、上記発明において、表面が平滑に加工された透明な保護板を前記表示装置の表示面に設けたことを特徴とする。
【発明の効果】
【０００９】
本発明によれば、表示装置の表示面を前方に傾斜させて支持部材に支持するため、表示面への雪の付着を防止できる。さらに、表示面の表示の正射影に縮みの無い状態で視認可能に情報を表示するため、表示面を前方に傾斜させた場合であっても、縮みの無い状態で情報を視認できる。
【発明を実施するための最良の形態】
【００１０】
以下、図面を参照して本発明の実施の形態について説明する。
図１は、本実施形態に係る道路情報表示装置１の正面及び右側面を共に示す図である。この図に示すように、道路情報表示装置１は、道路情報等を表示する表示パネル２を前面に有した表示装置３と、この表示装置３を道路の上側に配置する支持機構４とを有している。表示装置３は、横長の長方形に形成され上記表示パネル２が設けられた装置本体１０と、この装置本体１０の上部に設けられた雪割屋根１１とを有する。この雪割屋根１１は正面傾斜面１１Ａ及び背面傾斜面１１Ｂを有する三角屋根形状に形成され、これにより、装置本体１０の上部への雪の堆積が防止される。さらに、この雪割屋根１１は、その左右の側面１１Ｃ、１１Ｄが閉塞されており、雪割屋根１１の内部への雪の吹き込み防止が図られている。
【００１１】
上記支持機構４は、道路の路肩等に立設された支柱５と、この支柱５から水平方向に延びて表示装置３の上下２箇所を支持する２本のアーム６Ａ、６Ｂとを有している。上側のアーム６Ａは、支柱５から正面側に張り出す張出部７を有し、上側のアーム６Ａを下側のアーム６Ｂに対して正面側に張り出すことで表示パネル２を傾斜角度θ０（度）だけ下向きに傾斜させている。本実施形態では、表示装置３の傾斜角度θ０を略３０°とし、従来の一般的な道路情報表示装置よりも傾斜角度θ０を大きくしており、従来に比べて表示パネル２に雪が付着し難くなっている。特に、傾斜角度θ０を大きくすることで横風による着雪が防止される。
【００１２】
次いで表示装置３の構成についてより詳細に説明する。
図２は、表示装置３の要部を示す一部断面図である。この図に示すように、装置本体１０の正面側には上記表示パネル２が設けられる開口としての表示窓１３が形成されている。この表示窓１３には、例えばポリカーボネイト板等の透明な保護板１２が設けられ、この保護板１２に対峙して表示パネル２が配設されている。この保護板１２は、視認性を良好に維持するために、その表面に例えばマット仕上げ等の無反射加工を施し、表面を平滑にすることで雪の付着を防止している。
【００１３】
表示パネル２は、図１に示すように、複数個のＬＥＤユニット２０が縦横に隣接して設けられて構成されている。各ＬＥＤユニット２０は、図２及び図３に示すように、複数のＬＥＤ３０と、これらのＬＥＤ３０がマトリクス状に配列されて実装された実装基板３１と、この実装基板３１にスペーサ３２を介して取り付けられて各ＬＥＤ３０を点灯駆動する駆動モジュール３３とを有している。
本実施形態では、２つのＬＥＤ３０を横に隣接して設けて１つの表示用のドットＤを構成し、このドットＤが縦横にＭ個（図示例ではＭ＝１６）ずつマトリクス状に配列され、各ドットＤが点灯することで文字や図形をドット表示する。
【００１４】
上記実装基板３１は縦幅Ｈが横幅Ｗよりも長い縦長の長方形状をなし、各ドットＤが縦方向に縦ピッチＰＨ、横方向に横ピッチＰＷで配列されている。このとき、表示装置３の設置時に表示パネル２の表示面５０が傾斜角度θ０だけ傾けられているため、ドライバーが視認する表示、すなわち、表示の正射影は縦方向に縮んでみえることになる。そこで、本実施形態では表示が縮んでみえることが無いように、ドットＤの縦ピッチＰＨが横ピッチＰＷよりも長く設定することとしている。
【００１５】
さらに詳述すると、表示パネル２の表示面５０を傾斜角度θ０だけ傾いた場合、表示面５０の正射影は（ｃｏｓθ０）倍になるため、その表示面５０を略正面からみると表示パネル２の表示は（ｃｏｓθ０）倍に縮んでみえる。したがって、本実施形態では、縦ピッチＰＨを横ピッチＰＷの（１／ｃｏｓθ０）倍に設定して、表示パネル２に表示される文字や図形を予め縦長に表示することで、表示面５０の表示の正射影が縮みの無い状態で視認可能にしている。
【００１６】
かかる構成の道路情報表示装置１を道路に設置した場合を説明する。図４に示すように、表示装置３を高さＨＳが約５．２Ｍ（メートル）の位置に傾斜角度θ０を３０°として設置した場合、ドライバーの目線の高さ位置ＨＤを１．２Ｍとすると、表示装置３の設置位置Ｓ１からの視認距離Ｌは、車両の速度が６０ｋｍ／ｈ、表示装置３の文字高さが０．４５Ｍの場合には約１０７Ｍとなる。設置位置Ｓ１から視認距離Ｌだけ手前の地点Ｓ２（視認距離Ｌの開始点）で表示装置３を見た場合、ドライバーの目線から表示装置３までの仰角θ１は約２．７７°である。したがって、地点Ｓ２から表示装置３を見ると、相対的に表示装置３がθ３（＝θ０−θ１＝２７．２３°）だけ前方に傾斜して視認される。上記のように、表示装置３の表示は（１／ｃｏｓθ０）倍だけ縦長になされているため、ドライバーからは、表示装置３の表示が相対的に縦方向に（ｃｏｓθ３／ｃｏｓθ０）＝約１．０２倍、すなわち、縦方向での縮みの無い正常な表示として視認されることとなる。
【００１７】
また、地点Ｓ２から設置位置Ｓ１に向かって車両が走行したとき、消失点Ｓ３にてドライバーの視野から表示装置３が消え始めることとなる。この消失点Ｓ３は、上記諸条件の下では約４２．７Ｍであり、この消失点Ｓ３から表示装置３を見ると、ドライバーの目線から表示装置３までの仰角θ２は７°であり、この消失点Ｓ３では相対的に表示装置３がθ４（＝θ０−θ２＝２３°）だけ前方に傾斜して視認される。したがって、この消失点Ｓ３ではドライバーからは表示装置３の表示が相対的に縦方向に（ｃｏｓθ４／ｃｏｓθ０）＝約１．０６倍だけ延びて視認され、縦方向での縮みの無い正常な表示として視認可能となる。
【００１８】
ここで、視認距離Ｌの開始点である地点Ｓ２から消失点Ｓ３までの間では、設置位置Ｓ１に近付くにつれてドライバーの目線から表示装置３までの仰角θが単純に増加することになる。したがって、地点Ｓ２から消失点Ｓ３の間では、表示装置３の表示の相対的な縦方向の伸縮は、約１．０２倍〜約１．０６倍の間であるから、ほぼ縦方向での縮みの無い正常な表示として視認可能となる。
【００１９】
このように、本実施の形態によれば、表示装置３の表示面５０を前方に傾斜させて支持機構４に支持するため、表示面５０への雪の付着がし難くなり、ヒータ等の加熱手段を設けずとも、表示面５０の雪の付着を防止することができる。さらに、表示面５０の傾斜角度θを大きくするほど雪の付着防止効果は増大するが、その分、表示面５０を正面側からみたときに表示が縦方向に縮んでみえてしまい何ら対策を施さなければ表示の可読性が低下してしまう。これに対して本実施形態では、ＬＥＤ３０からなるドットＤの縦方向の配置間隔である縦ピッチＰＨを横方向の配置間隔である横ピッチＰＷに対して１／ｃｏｓθ倍にしているため、表示面５０の表示の正射影が縮みの無い状態で視認可能に情報が表示されることとなり、表示の可読性を良好に維持することができる。
【００２０】
特に、本実施の形態では、道路を走行中の車両のドライバーが表示装置３の視認を開始する視認距離Ｌの開始点である地点Ｓ２から表示装置３が視野から消え始める消失点Ｓ３までの間において、表示面５０の表示の正射影に縮みの無い状態で視認可能に情報を表示する構成としているため、走行中のドライバーが表示装置３に表示されている情報を正確に読み取ることができる。
【００２１】
また、本実施の形態では、表示装置３の表示面５０を前方に傾斜させて支持機構４に支持する構成に加え、表面が平滑に加工された透明な保護板１２を表示装置３の表示面５０に設ける構成としたため、表示面５０への雪の付着を更に防止することができる。
【００２２】
なお、上述した実施の形態は、あくまでも本発明の一態様を示すものであり、本発明の範囲内で任意に変形および応用が可能である。
例えば、上述した実施形態では、ドットＤの縦ピッチＰＨを横ピッチＰＤの１／ｃｏｓθ倍とすることで、予め表示を縦長に引き延ばして表示する構成としたが、これに限らず、ドットＤの縦ピッチＰＨと横ピッチＰＷとを略同一としつつ、表示面５０の傾斜角度をθとした場合に、表示面５０に表示する情報の形状自体を予め１／ｃｏｓθ倍に縦方向に伸張したものを表示する構成としても良い。
【００２３】
また例えば、上述した実施形態では、支持機構４が路面Ｇに立設された支柱５を備える構成について例示したが、これに限らず、支持機構４が道路を横断するように架設された架橋を備える構成とし、この架橋に上記表示装置３が支持される構成としても良い。
【００２４】
また例えば、上述した実施形態では、本発明の情報表示装置として道路情報表示装置１を例示したが、本発明は、ＬＥＤ等の表示素子をマトリクス状に配列した表示装置を支持部材で道路上に支持し、表示素子を点灯して情報をドット表示する情報表示装置であれば、任意の情報表示装置に適用可能であり、例えば、路面から高い位置に設置された電光掲示板等にも本発明を適用することが可能である。
【図面の簡単な説明】
【００２５】
【図１】本発明の実施形態に係る道路情報表示装置の構成を示す図。
【図２】表示装置の要部を示す断面図。
【図３】ＬＥＤユニットの構成を示す図。
【図４】走行時の表示の見え方を説明するための図。
【符号の説明】
【００２６】
１  道路情報表示装置
２  表示パネル
３  表示装置
４  支持機構（支持部材）
１１  雪割屋根
１２  保護板
３０  ＬＥＤ
５０  表示面
Ｄ  ドット
θ０  傾斜角度
【図１】
2008014080.tif 000003
【図２】
2008014080.tif 000004
【図３】
2008014080.tif 000005
【図４】
2008014080.tif 000006